【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
複数の画像データを含む画像ファイルを扱うことが可能な画像処理装置であって、
画像ファイルに含まれる複数の画像データの各々について、前記画像処理装置が処理可能な画像データであるか否かを判断する第１の判断手段と、
前記第１の判断手段により処理可能でないと判断された画像データがある場合に、前記画像ファイルに前記画像データを特定する情報と前記画像処理装置を特定する情報とを含むデバイス情報を付加する付加手段と、
外部から取得した画像ファイルのファイルヘッダ情報に前記デバイス情報があるか否かを判断する第２の判断手段と、
前記第２の判断手段が前記画像ファイルに前記デバイス情報があると判断した場合、前記画像ファイルに含まれる画像データを前記画像処理装置が処理可能か否かを前記デバイス情報に基づいて判断し、前記第２の判断手段が前記画像ファイルに前記デバイス情報がないと判断した場合、前記画像ファイルに含まれる画像データを前記画像処理装置が処理可能か否かを前記第１判断手段が判断するよう制御する制御手段と、を有することを特徴とする画像処理装置。
【請求項２】
前記第１の判断手段により処理可能でないと判断された画像データがある場合、前記画像データに対応していないことを示す画像データを前記画像ファイルに付加することを特徴とする請求項１に記載の画像処理装置。
【請求項３】
前記第２の判断手段が前記画像ファイルに前記デバイス情報があると判断し、前記デバイス情報に基づいて前記画像ファイルに含まれる画像データを前記画像処理装置が処理可能でないと判断した場合、前記画像ファイルに含まれる、前記画像データに対応していないことを示す画像データ出力する出力手段を更に有することを特徴とする請求項２に記載の画像処理装置。
【請求項４】
前記出力手段は、前記非対応であることを通知する画像を表示部および印刷部のうちの少なくとも一つに出力することを特徴とする請求項３に記載の画像処理装置。
【請求項５】
外部から取得した画像ファイルに他の画像処理装置が処理できない画像データを特定する情報と前記他の画像処理装置を特定する情報とを含むデバイス情報がある場合に、前記他の画像処理装置が処理できない画像データを処理することが可能であるか否かを判断する第３の判断手段と、を備え、
前記画像処理装置は、前記第３の判断手段により前記画像データを画像処理することが可能であると判断された場合に、外部から取得した前記デバイス情報を含む画像ファイルの画像に対して画像処理を施すことを特徴とする請求項１〜４のいずれか一項に記載の画像処理装置。
【請求項６】
複数の画像データを含む画像ファイルを扱うことが可能な画像処理装置の制御方法であって、
画像ファイルに含まれる複数の画像データの各々について、前記画像処理装置が処理可能な画像データであるか否かを判断する第１の判断工程と、
前記第１の判断工程において処理可能でないと判断された画像データがある場合に、前記画像ファイルに前記画像データを特定する情報と前記画像処理装置を特定する情報とを含むデバイス情報を付加する付加工程と、
外部から取得した画像ファイルのファイルヘッダ情報に前記デバイス情報があるか否かを判断する第２の判断工程と、
前記第２の判断工程において前記画像ファイルに前記デバイス情報があると判断された場合、前記画像ファイルに含まれる画像データを前記画像処理装置が処理可能か否かを前記デバイス情報に基づいて判断し、前記第２の判断工程において前記画像ファイルに前記デバイス情報がないと判断された場合、前記画像ファイルに含まれる画像データを前記画像処理装置が処理可能か否かを前記第１判断工程において判断するよう制御する制御工程と、を有することを特徴とする画像処理装置の制御方法。
【請求項７】
複数の画像データを含む画像ファイルを扱うことが可能な画像処理装置に制御方法を実行させるためのプログラムであって、前記制御方法は、
画像ファイルに含まれる複数の画像データの各々について、前記画像処理装置が処理可能な画像データであるか否かを判断する第１の判断工程と、
前記第１の判断工程において処理可能でないと判断された画像データがある場合に、前記画像ファイルに前記画像データを特定する情報と前記画像処理装置を特定する情報とを含むデバイス情報を付加する付加工程と、
外部から取得した画像ファイルのファイルヘッダ情報に前記デバイス情報があるか否かを判断する第２の判断工程と、
前記第２の判断工程において前記画像ファイルに前記デバイス情報があると判断された場合、前記画像ファイルに含まれる画像データを前記画像処理装置が処理可能か否かを前記デバイス情報に基づいて判断し、前記第２の判断工程において前記画像ファイルに前記デバイス情報がないと判断された場合、前記画像ファイルに含まれる画像データを前記画像処理装置が処理可能か否かを前記第１判断工程において判断するよう制御する制御工程と、を有することを特徴とするプログラム。
【手続補正２】
【補正対象書類名】明細書
【補正対象項目名】発明の名称
【補正方法】変更
【補正の内容】
【発明の名称】画像処理装置、画像処理装置の制御方法、およびプログラム
【手続補正３】
【補正対象書類名】明細書
【補正対象項目名】０００１
【補正方法】変更
【補正の内容】
【０００１】
本発明は、外部記憶装置から取得した画像ファイルを処理する画像処理装置、画像処理装置の制御方法、およびプログラムに関する。
【手続補正４】
【補正対象書類名】明細書
【補正対象項目名】０００９
【補正方法】変更
【補正の内容】
【０００９】
そこで、本発明は、ユーザに対して、非対応の画像ファイルであることを確実に、かつ迅速に認識させることが可能な画像処理装置、画像処理装置の制御方法、およびプログラムを提供することを目的とする。
【手続補正５】
【補正対象書類名】明細書
【補正対象項目名】００１０
【補正方法】変更
【補正の内容】
【００１０】
上記目的を達成するために、本発明の画像処理装置は、複数の画像データを含む画像ファイルを扱うことが可能な画像処理装置であって、画像ファイルに含まれる複数の画像データの各々について、前記画像処理装置が処理可能な画像データであるか否かを判断する第１の判断手段と、前記第１の判断手段により処理可能でないと判断された画像データがある場合に、前記画像ファイルに前記画像データを特定する情報と前記画像処理装置を特定する情報とを含むデバイス情報を付加する付加手段と、外部から取得した画像ファイルのファイルヘッダ情報に前記デバイス情報があるか否かを判断する第２の判断手段と、前記第２の判断手段が前記画像ファイルに前記デバイス情報があると判断した場合、前記画像ファイルに含まれる画像データを前記画像処理装置が処理可能か否かを前記デバイス情報に基づいて判断し、前記第２の判断手段が前記画像ファイルに前記デバイス情報がないと判断した場合、前記画像ファイルに含まれる画像データを前記画像処理装置が処理可能か否かを前記第１判断手段が判断するよう制御する制御手段と、を有することを特徴とする。
【手続補正６】
【補正対象書類名】明細書
【補正対象項目名】００１１
【補正方法】変更
【補正の内容】
【００１１】
本発明の画像処理装置の制御方法は、複数の画像データを含む画像ファイルを扱うことが可能な画像処理装置の制御方法であって、画像ファイルに含まれる複数の画像データの各々について、前記画像処理装置が処理可能な画像データであるか否かを判断する第１の判断工程と、前記第１の判断工程において処理可能でないと判断された画像データがある場合に、前記画像ファイルに前記画像データを特定する情報と前記画像処理装置を特定する情報とを含むデバイス情報を付加する付加工程と、外部から取得した画像ファイルのファイルヘッダ情報に前記デバイス情報があるか否かを判断する第２の判断工程と、前記第２の判断工程において前記画像ファイルに前記デバイス情報があると判断された場合、前記画像ファイルに含まれる画像データを前記画像処理装置が処理可能か否かを前記デバイス情報に基づいて判断し、前記第２の判断工程において前記画像ファイルに前記デバイス情報がないと判断された場合、前記画像ファイルに含まれる画像データを前記画像処理装置が処理可能か否かを前記第１判断工程において判断するよう制御する制御工程と、を有することを特徴とする。
【手続補正７】
【補正対象書類名】明細書
【補正対象項目名】００１２
【補正方法】変更
【補正の内容】
【００１２】
本発明のプログラムは、複数の画像データを含む画像ファイルを扱うことが可能な画像処理装置に制御方法を実行させるためのプログラムであって、前記制御方法は、画像ファイルに含まれる複数の画像データの各々について、前記画像処理装置が処理可能な画像データであるか否かを判断する第１の判断工程と、前記第１の判断工程において処理可能でないと判断された画像データがある場合に、前記画像ファイルに前記画像データを特定する情報と前記画像処理装置を特定する情報とを含むデバイス情報を付加する付加工程と、外部から取得した画像ファイルのファイルヘッダ情報に前記デバイス情報があるか否かを判断する第２の判断工程と、前記第２の判断工程において前記画像ファイルに前記デバイス情報があると判断された場合、前記画像ファイルに含まれる画像データを前記画像処理装置が処理可能か否かを前記デバイス情報に基づいて判断し、前記第２の判断工程において前記画像ファイルに前記デバイス情報がないと判断された場合、前記画像ファイルに含まれる画像データを前記画像処理装置が処理可能か否かを前記第１判断工程において判断するよう制御する制御工程と、を有することを特徴とする。
【手続補正８】
【補正対象書類名】明細書
【補正対象項目名】００１３
【補正方法】削除
【補正の内容】